(57)【要約】【課題】目立ちながらも、安価であり、しかも、申込意欲を向上させることができるハガキ付きチラシとその製造方法を提供する。【解決手段】ハガキ付きチラシ１０は、チラシ本体１１と、付属シート１２と、ハガキ用シート１３などとを備え、チラシ本体１１は、薄紙が用いられ、付属シート１２は、薄紙が用いられ、チラシ本体１１上に配置され、その一端がチラシ本体１１の一端と綴じ合わされ、ハガキ用シート１３は、郵便法のハガキに関する規定に合致した厚みや重量を有する厚紙が用いられ、チラシ本体１１上に配置され、その一端がチラシ本体１１の他端と綴じ合わされ、ミシン目ｍｃで分離可能な資料請求ハガキ２０を有し、付属シート１２及びハガキ用シート１３は、配送伝票や帳票などのビジネスフォームを製造する丁合機を用いて、チラシ本体１１と綴じ合わされている。【選択図】図１
2006062131.tif 000002
【特許請求の範囲】
【請求項１】
チラシ本体と、
前記チラシ本体上に配置され、その一端が前記チラシ本体の一端と綴じ合わされた付属シートと、
前記チラシ本体上に配置され、その一端が前記チラシ本体の他端と綴じ合わされ、ハガキを作製可能であって分離可能なハガキ部を有するハガキ用シートと、
を備えるハガキ付きチラシ。
【請求項２】
請求項１に記載のハガキ付きチラシにおいて、
前記付属シートと前記ハガキ用シートとは、重なり合う部分がないこと、
を特徴とするハガキ付きチラシ。
【請求項３】
請求項１に記載のハガキ付きチラシにおいて、
前記付属シートと前記ハガキ用シートとは、重なり合う部分があること、
を特徴とするハガキ付きチラシ。
【請求項４】
請求項１から請求項３までのいずれか１項に記載のハガキ付きチラシにおいて、
前記ハガキ用シートは、郵便法のハガキに関する規定に合致した厚み及び／又は重量を有すること、
を特徴とするハガキ付きチラシ。
【請求項５】
請求項１から請求項４までのいずれか１項に記載のハガキ付きチラシにおいて、
前記ハガキ用シートは、タック基材、粘着層及び剥離シートが順に積層されたタックシートであること、
を特徴とするハガキ付きチラシ。
【請求項６】
請求項１から請求項５までのいずれか１項に記載のハガキ付きチラシにおいて、
前記ハガキ用シートは、記入欄を備え、
前記ハガキ部は、折り線を介して前記記入欄と一体化されていること、
を特徴とするハガキ付きチラシ。
【請求項７】
請求項１から請求項６までのいずれか１項に記載のハガキ付きチラシを製造するハガキ付きチラシの製造方法において、
前記チラシ本体と前記各シートとを、配送伝票や帳票などのビジネスフォームを製造する丁合機を用いて綴じ合わせること、
を特徴とするハガキ付きチラシの製造方法。
【発明の詳細な説明】
【技術分野】
【０００１】
本発明は、新聞の折り込みチラシなどに好適なハガキ付きチラシとその製造方法に関するものである。
【背景技術】
【０００２】
現在、全国紙と呼ばれる新聞には、ほぼ毎日、『折り込みチラシ』が封入されている（例えば、特許文献１）。
特に、週末や賞与支給前ともなると、おびただしい種類や数のチラシが折り込まれており、新聞よりも量が多いほどである。これは、チラシは地味であり、新鮮味のうすいものではあるが、広告手法としては、高い効果が期待できることに他ならない。
【０００３】
とは言え、おびただしい数のチラシの中に埋没してしまっては、広告効果以前の問題である。
また、実際に手にとって読んでもらっても、例えば、資料請求を要するようなサービスの場合には、資料請求に至らなければ、広告として成功したとは言えず、目立つだけでなく、申し込みを行いやすいチラシが求められている。
【０００４】
資料請求の方法は、インターネット（ホームページ）、電話、ＦＡＸ、封書、ハガキなどと様々であるが、実際に利用されているものは、主にハガキである。特に、料金受取人払ハガキであれば、申し込む側で費用が発生しないので、きわめて簡単に申し込みを行うことができる。
【０００５】
しかし、ハガキは、サイズと重量が郵便法で規定されていることから、標準的なサイズで設計した場合に、通常のチラシと比較すると、２倍以上厚い（重い）用紙を使わざるを得なかった。
折り込みチラシは、一般的に、配布エリアや、サイズ、紙の重さなどで折り込み費用が変わるため、ハガキを同封するためだけに全体を厚紙とすると、用紙代が跳ね上がるだけでなく、折り込み代も跳ね上がってしまう。
【０００６】
一般の企業では、当然、広告宣伝にかけられる費用（予算）に上限があるため、チラシの一部にハガキを設けるには、配布数を絞らなくてはならい。
そこで、通常の薄紙からなるチラシに、ハガキを別に貼り込む手法が使われるが、貼り込み機が一般的ではなく、大量に製造し、配布するようなものでないと、採算が合わない。
逆に、ロットが小さい場合は、手作業で貼り込むこともあるが、この場合は、通常よりも納期が遅れるため、新鮮な情報を届ける場合には不向きであった。
【特許文献１】特開２０００−１５８８５１号公報
【発明の開示】
【発明が解決しようとする課題】
【０００７】
本発明の課題は、目立ちながらも、安価であり、しかも、申込意欲を向上させることができるハガキ付きチラシとその製造方法を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、チラシ本体（１１）と、前記チラシ本体（１１）上に配置され、その一端が前記チラシ本体（１１）の一端と綴じ合わされた付属シート（１２）と、前記チラシ本体（１１）上に配置され、その一端が前記チラシ本体（１１）の他端と綴じ合わされ、ハガキを作製可能であって分離可能なハガキ部（２０）を有するハガキ用シート（１３）と、を備えるハガキ付きチラシである。
請求項２の発明は、請求項１に記載のハガキ付きチラシにおいて、前記付属シート（１２）と前記ハガキ用シート（１３）とは、重なり合う部分がないこと、を特徴とするハガキ付きチラシである。
請求項３の発明は、請求項１に記載のハガキ付きチラシにおいて、前記付属シート（１２）と前記ハガキ用シート（１３）とは、重なり合う部分があること、を特徴とするハガキ付きチラシである。
請求項４の発明は、請求項１から請求項３までのいずれか１項に記載のハガキ付きチラシにおいて、前記ハガキ用シート（１３）は、郵便法のハガキに関する規定に合致した厚み及び／又は重量を有すること、を特徴とするハガキ付きチラシである。
請求項５の発明は、請求項１から請求項４までのいずれか１項に記載のハガキ付きチラシにおいて、前記ハガキ用シート（１３Ａ）は、タック基材（１４）、粘着層（１５）及び剥離シート（１６）が順に積層されたタックシートであること、を特徴とするハガキ付きチラシである。
請求項６の発明は、請求項１から請求項５までのいずれか１項に記載のハガキ付きチラシにおいて、前記ハガキ用シート（１３Ａ）は、記入欄（１７）を備え、前記ハガキ部（２０）は、折り線（ｂ）を介して前記記入欄（１７）と一体化されていること、を特徴とするハガキ付きチラシである。
請求項７の発明は、請求項１から請求項６までのいずれか１項に記載のハガキ付きチラシを製造するハガキ付きチラシの製造方法において、前記チラシ本体（１１）と前記各シート（１２、１３、１３Ａ）とを、配送伝票や帳票などのビジネスフォームを製造する丁合機を用いて綴じ合わせること、を特徴とするハガキ付きチラシの製造方法である。
【発明の効果】
【０００９】
本発明によれば、以下のような効果がある。
（１）チラシ本体の両端に、付属シートとハガキ用シートとを綴じ合わせたので、両者を見開き状態とすることができ、生活者の注目度を高め、目立たせることによって、他のチラシの中に埋もれてしまうことがない。
（２）ハガキ用シートのみに、ハガキを作製可能なハガキ用の材料（資材）を用いることによって、ハガキ用の材料は必要最低限で済み、材料に無駄がなく、低コスト化が図れる。
（３）ハガキ用シートからハガキ部を分離して、ハガキを作製可能であるので、申込作業が簡単に行え、申込意欲を向上させることができる。
【発明を実施するための最良の形態】
【００１０】
本発明は、目立ちながらも、安価であり、しかも、申込意欲を向上させることができるハガキ付きチラシとその製造方法を提供するという目的を、チラシ本体及び付属シートに薄紙を用い、ハガキ用シートに厚紙を用い、チラシ本体の両端に付属シートとハガキ用シートとを綴じ合わせることにより実現する。
【実施例１】
【００１１】
以下、図面等を参照して、本発明の実施例について、さらに詳しく説明する。
図１は、本発明によるハガキ付きチラシの実施例１を示す図である。
実施例１のハガキ付きチラシ１０は、図１（Ａ）に示すように、結婚式場の案内のチラシを例にしたものであり、チラシ本体１１と、付属シート１２と、ハガキ用シート１３などとを備える。
【００１２】
チラシ本体１１は、本実施例では、結婚式場の写真が掲載され、結婚式場を紹介するチラシであり、通常の薄紙が用いられている。
【００１３】
付属シート１２は、本実施例では、花嫁の衣装などの写真が掲載され、ハガキ用シート１３と連動して意味をなすチラシであり、チラシ本体１１と同様の薄紙が用いられ、チラシ本体１１上に配置され、その一端（左端）がチラシ本体１１の一端（左端）と、ライン状の糊ａによって綴じ合わされている。
【００１４】
ハガキ用シート１３は、付属シート１２の残りの部分の写真が掲載されているチラシであり、チラシ本体１１上に配置され、その一端（右端）がチラシ本体１１の他端（右端）と、ライン状の糊ａによって綴じ合わされ、ミシン目ｍｃで分離可能な資料請求ハガキ（ハガキ部）２０を有するものである。
【００１５】
また、ハガキ用シート１３は、郵便法（郵便事業に関する基本的事項を定めた法律）のハガキに関する規定に合致した厚みや重量を有するハガキ用の材料で形成されており、具体的には、連量：１１０ｋｇ（１２７．９ｇ／ｍ2）の厚紙が用いられている。
【００１６】
ハガキ用シート１３の幅方向の長さは、資料請求ハガキ２０のサイズに合わせてあり、付属シート１２の幅方向の長さは、ハガキ用シート１３と重なり合わないような長さに設定してある。
【００１７】
付属シート１２及びハガキ用シート１３は、配送伝票や帳票などのビジネスフォームを製造する丁合機を用いて、チラシ本体１１と綴じ合わされている。
【００１８】
次に、実施例１によるハガキ付きチラシ１０の使用方法について説明する。
まず、図１（Ｂ）に示すように、新聞の中に折り込まれたハガキ付きチラシ１０を取り出す。
ついで、図１（Ｃ）に示すように、ハガキ付きチラシ１０を見開き状態として、内容を確認する。
そして、図１（Ｄ）に示すように、資料請求をする場合には、ミシン目ｍｃで資料請求ハガキ２０を切り離してハガキ化（ハガキを作製）し、郵便ポストに投函する。
【００１９】
このように、実施例１によれば、従来のチラシの一般的な２つ折り形態を進化させ、見開き状態となるように工夫し、しかも、見開きのサイズを左右で不等長としたので、形態的な面白さから、実際に手にとって開いて見てみたくなる気持ちが高まる。
【００２０】
また、資料請求ハガキ２０は、わかりやすく、使いやすい状態で設けられているので、資料請求のレスポンス率の向上が期待できる。
【００２１】
さらに、ハガキ用シート１３のみに、厚紙を用いることによって、ハガキ部分とチラシ部分の各部に最適な用紙を組み合わせることができ、材料に無駄がなく、低コスト化が図れる。
【００２２】
一方、このハガキ付きチラシ１０は、配送伝票などのビジネスフォームを製造する丁合機を活用し、シートの状態でハガキ部分を綴じ合わせることができるので、従来の手作業でのハガキの貼り込みや、特殊な貼り込み機などと比較して、手間やコストを大幅に削減することができる。
【実施例２】
【００２３】
図２は、本発明によるハガキ付きチラシの実施例２を示す図である。
なお、前述した実施例１と同様な機能を果たす部分には、同一の符号又は末尾に統一した符号を付して、重複する説明や図面を適宜省略する。
実施例２のハガキ付きチラシ１０Ａは、ハガキ用シート１３Ａに、タック基材１４、粘着剤（粘着層）１５及び剥離紙（剥離シート）１６が順に積層されたタック紙（タックシート）を用いたものである。
また、図２（Ｃ）に示すように、ハガキ用シート１３Ａの裏側のタック基材１４には、コメント欄（記入欄）１７が設けられ、資料請求ハガキ２０は、折り線ｂを介してコメント欄１７と一体化されている。
【００２４】
そして、このハガキ付きチラシ１０Ａを受け取った生活者は、実施例１と同様に、ハガキ付きチラシ１０Ａの内容を確認し、資料請求をする場合には、図２（Ｃ）に示すように、ハガキ用シート１３Ａのタック基材１４を剥がして粘着剤１５を表出させ、図２（Ｄ）に示すように、２つ折りしてハガキ化（ハガキを作製）する。
【００２５】
このように、実施例２によれば、実施例１の効果に加え、『つくる楽しさ』を加えた形態とすることができる。
【００２６】
また、資料請求ハガキ２０は、ハガキ用シート１３Ａの２つ折り形態とし、資料請求以外にも、コメント欄１７にコメントなどを記入することができるので、より有効なコミュニケーションツールとして利用できる。
【００２７】
さらに、ハガキ付きチラシ１０Ａそのものは、資料請求ハガキ２０を剥がし取った後でも、完全な状態で残るため、請求した資料が届くまでの間も、安心して保管することができる。
【００２８】
（変形例）
以上説明した実施例に限定されることなく、種々の変形や変更が可能であって、それらも本発明の均等の範囲内である。
例えば、付属シート１２やハガキ用シート１３、１３Ａの幅方向の長さを、上述した各実施例のものよりも短くして、チラシ本体１１の内容の一部を表出させるようにしてもよい。このようにすれば、アイキャッチ効果が高まり、ハガキ付きチラシをより広げてみたくなる。
【００２９】
また、これとは逆に、付属シート１２やハガキ用シート１３、１３Ａの幅方向の長さを長くして、両者が重なり合うようにしてもよい。このようにすれば、チラシ本体１１の内容が内部に隠れるが、生活者の期待感が高まり、中身を見てみようという気持ちを増加させることができる。
【図面の簡単な説明】
【００３０】
【図１】本発明によるハガキ付きチラシの実施例１を示す図である。
【図２】本発明によるハガキ付きチラシの実施例２を示す図である。
【符号の説明】
【００３１】
１０、１０Ａ  ハガキ付きチラシ
１１  チラシ本体
１２  付属シート
１３、１３Ａ  ハガキ用シート
１４  タック基材
１５  粘着剤（粘着層）
１６  剥離紙（剥離シート）
１７  コメント欄（記入欄）
２０  資料請求ハガキ（ハガキ部）
ａ  糊
ｂ  折り線
ｍｃ  ミシン目
【図１】
2006062131.tif 000003
【図２】
2006062131.tif 000004